(57)【要約】【課題】複雑で複合的な操作を行うことができる操作装置及び電気機器を提供する。【解決手段】所定位置から複数方向への移動が可能な操作板１２を備え、操作板１２の移動方向に応じた操作信号を出力するポインティングデバイス１に、操作板１２を円板状に形成し、操作板１２の表面に配された円板状のタッチパネル１３と、タッチパネル１３の検出結果及び操作板１２の移動方向に応じて操作信号を出力する操作信号出力コネクタ１６とを備える。また、ポインティングデバイス１を電気機器に備え、操作板１２及びタッチパネルの操作に応じて動作するように構成する。【選択図】図１
2009026001.tif 000002
【特許請求の範囲】
【請求項１】
所定位置から複数方向への移動が可能な操作体を備え、該操作体の移動方向に応じた操作信号を出力する操作装置において、
前記操作体の表面に配されており、物体の接触位置を検出するタッチパネルと、
該タッチパネルの検出結果及び操作体の移動方向に応じて操作信号を出力する操作信号出力部と
を備えることを特徴とする操作装置。
【請求項２】
所定位置から複数方向への移動が可能な操作体を備え、該操作体の移動方向に応じて動作する電気機器において、
前記操作体の表面に配されており、物体の接触位置を検出するタッチパネルと、
該タッチパネルの検出結果及び操作体の移動方向に応じて動作を制御する制御手段と
を備えることを特徴とする電気機器。
【請求項３】
前記タッチパネルにて検出された接触位置の軌跡を記憶する手段と、
前記操作体が移動した場合、記憶された接触位置の軌跡に基づいて、文字を特定する手段と
を備えることを特徴とする請求項２に記載の電気機器。
【請求項４】
前記タッチパネルが複数の接触位置を検出した場合、検出された各接触位置を記憶する手段と、
記憶した接触位置に基づいて、各接触位置の位置関係の変化を特定する手段と
を備え、
前記制御手段は、
各接触位置の位置関係の変化に基づいて、動作を制御する手段を備える
ことを特徴とする請求項２又は請求項３に記載の電気機器。
【請求項５】
画像データに基づいて画像を拡大又は縮小させる手段を備え、
前記制御手段は、
各接触位置間の距離が変化した場合、画像を拡大又は縮小させるようにしてある
ことを特徴とする請求項４に記載の電気機器。
【請求項６】
画像データに基づいて画像を回転させる手段を備え、
前記制御手段は、
各接触位置が所定位置を中心に回転した場合、画像を回転させるようにしてある
ことを特徴とする請求項４又は請求項５に記載の電気機器。
【請求項７】
前記画像データに基づいて画像を移動させる手段を備え、
前記制御手段は、
前記タッチパネルが複数の接触位置を検出しており、前記操作体が移動した場合、該操作体の移動方向に応じて画像を移動させるようにしてある
ことを特徴とする請求項２から請求項６のいずれか一つに記載の電気機器。
【請求項８】
前記制御手段は、
前記タッチパネルが複数の接触位置を検出しており、前記操作体が前記所定位置から移動した場合、前記操作体の移動方向に応じて第１の動作を制御する手段と、
前記タッチパネルが単一の接触位置を検出しており、前記操作体が前記所定位置から移動した場合、前記操作体の移動方向に応じて第２の動作を制御する手段と
を備えることを特徴とする請求項２から請求項７のいずれか一つに記載の電気機器。
【請求項９】
前記制御手段は、
前記タッチパネルが一の接触位置を検出しており、前記操作体が前記所定位置から移動した場合、前記操作体の移動方向に応じて第１の動作を制御する手段と、
前記タッチパネルが他の接触位置を検出しており、前記操作体が前記所定位置から移動した場合、前記操作体の移動方向に応じて第２の動作を制御する手段と
を備えることを特徴とする請求項２から請求項７のいずれか一つに記載の電気機器。
【発明の詳細な説明】
【技術分野】
【０００１】
本発明は、所定位置から複数方向への移動が可能な操作体を備え、該操作体の移動方向に応じた操作信号を出力する操作装置、及び該操作装置を備えた電気機器に関する。
【背景技術】
【０００２】
操作装置としてポインティングデバイスを備えたノートパソコン、携帯電話、ＤＶＤレコーダ等の各種電気機器が提案されている（例えば、特許文献１）。
【０００３】
図２３は、従来のポインティングデバイス５０１を模式的に示す横断面図である。従来のポインティングデバイス５０１は、板状の基部５１１に対して傾倒可能に支持された操作桿５１４を備えている。操作桿５１４の先端部はゴムキャップ５１２で覆われており、ゴムキャップ５１２の上面にはタッチセンサ５１３が設けられている。
使用者がゴムキャップ５１２を押圧して操作桿５１４を傾倒させると、操作桿５１４の基端部に設けられた加重センサ５１５が操作桿５１４の傾倒方向に応じた操作信号を出力する。また、タッチセンサ５１３に指が触れた場合、タッチセンサ５１３は接触操作信号を出力する。
【０００４】
電気機器、例えばノートパソコンに搭載された制御装置は、操作桿５１４の傾倒を検出した場合、接触操作信号の有無に関わらず、操作桿５１４の傾倒方向に応じた処理を実行する。例えば、ノートパソコンのディスプレイに表示されたポインタを移動させる。また、制御装置は、操作桿５１４が傾倒を検出していない状態でタッチセンサ５１３の接触操作信号を検出した場合、決定処理を実行する。例えば、ポインタで選択されたソフトキーに対応する処理を実行する。
【０００５】
このように構成された従来のポインティングデバイス５０１においては、ポインティングデバイス５０１にボタン１個分の機能を追加することができ、省スペース化を図ることができる。
【特許文献１】特開平８−３３５１４１号公報
【発明の開示】
【発明が解決しようとする課題】
【０００６】
しかしながら、従来のポインティングデバイスにおいては、操作桿を操作する際、必ず指がタッチパネルに触れるため、操作桿とタッチパネルとを独立して操作することができず、操作効率が悪いという問題があった。
【０００７】
本発明は斯かる事情に鑑みてなされたものであり、所定位置から複数方向への移動が可能な操作体と、該操作体の表面に配されたタッチパネルを備えることにより、操作体の操作と同時にタッチパネルの操作も行うことができ、より複雑で複合的な操作を行うことができる操作装置及び電気機器を提供することを目的とする。
【課題を解決するための手段】
【０００８】
本発明に係る操作装置は、所定位置から複数方向への移動が可能な操作体を備え、該操作体の移動方向に応じた操作信号を出力する操作装置において、前記操作体の表面に配されており、物体の接触位置を検出するタッチパネルと、該タッチパネルの検出結果及び操作体の移動方向に応じて操作信号を出力する操作信号出力部とを備えることを特徴とする。
【０００９】
本発明に係る電気機器は、所定位置から複数方向への移動が可能な操作体を備え、該操作体の移動方向に応じて動作する電気機器において、前記操作体の表面に配されており、物体の接触位置を検出するタッチパネルと、該タッチパネルの検出結果及び操作体の移動方向に応じて動作を制御する制御手段とを備えることを特徴とする。
【００１０】
本発明に係る電気機器は、前記タッチパネルにて検出された接触位置の軌跡を記憶する手段と、前記操作体が移動した場合、記憶された接触位置の軌跡に基づいて、文字を特定する手段とを備えることを特徴とする。
【００１１】
本発明に係る電気機器は、前記タッチパネルが複数の接触位置を検出した場合、検出された各接触位置を記憶する手段と、記憶した接触位置に基づいて、各接触位置の位置関係の変化を特定する手段とを備え、前記制御手段は、各接触位置の位置関係の変化に基づいて、動作を制御する手段を備えることを特徴とする。
【００１２】
本発明に係る電気機器は、画像データに基づいて画像を拡大又は縮小させる手段を備え、前記制御手段は、各接触位置間の距離が変化した場合、画像を拡大又は縮小させるようにしてあることを特徴とする。
【００１３】
本発明に係る電気機器は、画像データに基づいて画像を回転させる手段を備え、前記制御手段は、各接触位置が所定位置を中心に回転した場合、画像を回転させるようにしてあることを特徴とする。
【００１４】
本発明に係る電気機器は、前記画像データに基づいて画像を移動させる手段を備え、前記制御手段は、前記タッチパネルが複数の接触位置を検出しており、前記操作体が移動した場合、該操作体の移動方向に応じて画像を移動させるようにしてあることを特徴とする。
【００１５】
本発明に係る電気機器は、前記制御手段は、前記タッチパネルが複数の接触位置を検出しており、前記操作体が前記所定位置から移動した場合、前記操作体の移動方向に応じて第１の動作を制御する手段と、前記タッチパネルが単一の接触位置を検出しており、前記操作体が前記所定位置から移動した場合、前記操作体の移動方向に応じて第２の動作を制御する手段とを備えることを特徴とする。
【００１６】
本発明に係る電気機器は、前記制御手段は、前記タッチパネルが一の接触位置を検出しており、前記操作体が前記所定位置から移動した場合、前記操作体の移動方向に応じて第１の動作を制御する手段と、前記タッチパネルが他の接触位置を検出しており、前記操作体が前記所定位置から移動した場合、前記操作体の移動方向に応じて第２の動作を制御する手段とを備えることを特徴とする。
【００１７】
本発明にあっては、操作体は所定位置から複数方向への移動が可能である。また、操作体の表面には、物体の接触位置を検出するタッチパネルが配されており、操作信号出力部は、操作体の移動方向及びタッチパネルの検出結果に応じた操作信号を出力する。
タッチパネルは操作体の表面に配されているため、タッチパネルを操作すると同時に操作体を移動させることができ、操作装置及び電気機器は操作体及びタッチパネルの同時的な操作を受け付けることができる。
また、物体の接触位置を検出可能なタッチパネルを備えているため、より複合的な操作を受け付けることができる。例えば、使用者は、タッチパネルの特定箇所を触りながら操作体を移動させて電気機器の動作を制御することができる。あるいは、複数箇所を触りながら操作体を移動させて電気機器の動作を制御することができる。
【００１８】
本発明にあっては、タッチパネルにて検出された接触位置の軌跡を記憶する。そして、操作体が移動した場合、記憶された接触位置の記憶に基づいて文字が特定される。従って、タッチパネル及び操作体にて手書き文字入力を行うことができる。
【００１９】
本発明にあっては、タッチパネルが複数の接触位置を検出した場合、各接触位置を記憶し、各接触位置の位置関係の変化を特定する。そして、制御手段は、各接触位置の位置関係、例えば各接触位置間の距離変化、操作板に対する位置変化等に基づいて動作を制御する。
【００２０】
本発明にあっては、タッチパネルが複数の接触位置を検出した場合、各接触位置を記憶し、各接触位置の位置関係の変化を特定する。そして、制御手段は、各接触位置の距離が変化した場合、画像を拡大又は縮小させる。従って、使用者は直感的に画像の拡大及び縮小操作を行うことができる。
【００２１】
本発明にあっては、タッチパネルが複数の接触位置を検出した場合、各接触位置を記憶し、各接触位置の位置関係の変化を特定する。そして、制御手段は、各接触位置が所定位置を中心に回転した場合、画像を回転させる。従って、使用者は直感的に画像を回転させる操作を行うことができる。
【００２２】
本発明にあっては、タッチパネルが複数の接触位置を検出しており、操作体が移動した場合、制御手段は操作体の移動方向に応じて画像を移動させる。従って、使用者は直感的に画像を移動させる操作を行うことができる。
【００２３】
本発明にあっては、タッチパネルが複数の接触位置を検出していて、操作体が移動した場合、制御手段は操作体の移動方向に応じて第１の動作を制御する。また、タッチパネルが単一の接触位置を検出していて、操作体が移動した場合、制御手段は操作体の移動方向に応じて第２の動作を制御する。
従って、操作体にて操作できる動作は、使用者がタッチパネルの一箇所を触りながら操作板を移動させるか、タッチパネルの複数箇所を触りながら操作板を移動させるかによって切り替わる。
【００２４】
本発明にあっては、制御手段は、タッチパネルが一の接触位置を検出した場合、操作体の移動方向に応じて第１の動作を制御し、他の接触位置を検出した場合、操作体の移動方向に応じて第２の動作を制御する。
従って、操作体にて操作できる動作は、使用者がタッチパネルを触る位置によって切り替わる。
【発明の効果】
【００２５】
本発明によれば、操作体の操作と同時にタッチパネルの操作も行うことができ、より複雑で複合的な操作を行うことができる。
【発明を実施するための最良の形態】
【００２６】
以下、本発明をその実施の形態を示す図面に基づいて詳述する。
（実施の形態１）
図１は、本発明の実施の形態１に係るポインティングデバイスを模式的に示す斜視図、図２は、実施の形態１のポインティングデバイスを模式的に示す平面図、図３は、実施の形態１のポインティングデバイスを模式的に示す側面図である。
【００２７】
図中１は、本発明の実施の形態１に係るポインティングデバイス（操作装置）である。ポインティングデバイス１は、基部１１と、基部１１に対して所定位置から複数方向へ移動及び押下可能に支持された操作板１２と、操作板表面１２ａに配されたタッチパネル１３と、操作板１２の移動方向及びタッチパネル１３の検出結果に応じた操作信号を出力する操作信号出力コネクタ１６とを備えている。
【００２８】
基部１１は偏平な中空略直方体形状をなし、例えば樹脂で形成されている。基部表面１１ａの略中央部には孔部が形成されており、該孔部から操作桿１４が平行移動可能に突出し、操作桿１４の先端部には操作板１２が設けられている。操作桿１４の基端部には、円板部１５ａが形成され、円板部１５ａの下面の略中心部分には下方がＮ極、上方がＳ極になるように磁石１５ｂが配設されている。円板部１５ａは、図示しない支持部によって平行移動及び押下可能に支持されている。例えば、円板部１５ａと支持部との間には、操作板１２を押下可能に支持するための弾性体が介装されている。円板部１５ａの更に下方であって、磁石１５ｂの磁場を検出可能な検出領域内に磁石１５ｂの位置に応じた信号を出力するセンサＩＣが配されている。センサＩＣは、磁石１５ｂの磁場を検出する複数のホール素子１５ｄと、各ホール素子１５ｄの出力に基づいて磁石１５ｂの位置を算出し、操作板１２の移動方向に応じた操作信号を出力する検出部１５ｃとを備えている。ホール素子１５ｄを用いることにより、操作板１２の押し込みを検出することも可能になる。
【００２９】
操作信号出力コネクタ１６は、基部１１の裏面の適宜箇所に設けられており、操作板１２の移動方向及び押下に応じた操作信号と、タッチパネル１３の検出結果とを出力するように構成されている。
【００３０】
図４は、実施の形態１のポインティングデバイス１の操作状態を概念的に示す説明図である。使用者が操作板１２の周面１２ｂ又は操作板表面１２ａを基部表面１１ａに沿った方向へ押圧した場合、操作板１２及び磁石１５ｂが平行移動し、各ホール素子１５ｄの出力が変化する。検出部１５ｃは、各ホール素子１５ｄの出力が変化に基づいて、操作盤１２の移動方向を算出し、操作板１２の移動方向に応じた操作信号を操作信号出力コネクタ１６から出力する。また、タッチパネル１３に物体が接触した場合、物体の接触位置を検出したタッチパネル１３は操作信号を操作信号出力コネクタ１６から出力する。
【００３１】
以下、本発明の実施の形態１に係るポインティングデバイス１を映像記録再生装置に搭載した例を説明する。該映像記録再生装置は、映像の録画再生機能に加えて、ＤＶＤに記録された静止画データに基づいて、静止画像一覧を表示する機能を備えている。また、記録されたデータのファイル名を手書き文字入力にて更新できるように構成されている。
【００３２】
図５は、本発明の実施の形態１に係る映像記録再生装置の内部構成を示すブロック図である。映像記録再生装置は、各種構成部の動作を制御する制御部３６を備えている。
【００３３】
制御部３６は、ＣＰＵ、ＲＯＭ、ＲＡＭ、タイマー部等を備えたマイクロコンピュータからなり、各種ハードウェアに制御信号を与えて動作を制御する。制御部３６には、遠隔操作装置３９から送信される赤外線の信号を受信する受信部３８、表示部４０、操作部４１等が設けられている。また、この通信方式は赤外線に限定せず、無線ＬＡＮ等の無線通信であっても良い。
【００３４】
遠隔操作装置３９は、本発明の実施の形態に係るポインティングデバイス１、電源ボタン等を備えており、ポインティングデバイス１及び各種ボタンの操作状態に応じた赤外線の信号を送信する。受信部３８は、遠隔操作装置３９から送信された赤外線の信号を受信し、操作部の操作状態を検出する。
表示部４０は、液晶ディスプレイを備えており、映像記録再生装置の動作状態、時刻等を表示する。
操作部４１は、本発明の実施の形態に係るポインティングデバイス１を筐体の適宜箇所に備えており、ポインティングデバイス１の操作に応じて各種構成部の動作を制御する。
【００３５】
図中２１は、アンテナＡで受信したＲＦ信号（放送信号）を増幅し、特定チャンネルの信号を選択するデジタルチューナであり、デジタルチューナ２１は、選択した信号を復調部２２に与える。
【００３６】
デジタルチューナ２１から与えられた信号は、ＯＦＤＭ（Orthogonal Frequency Division Multiplexing）方式で変調されており、復調部２２は、前記信号を、ＭＰＥＧ２ＴＳ（Transport Stream）形式のストリームデータに復調し、復調したストリームデータを切換部２３に与える。
【００３７】
切換部２３には、後述のハードディスクドライブ３２及びＤＶＤドライブ３３がバッファメモリ３７を介して接続されており、切換部２３は、ハードディスクドライブ３２、ＤＶＤドライブ３３、又は復調部２２より与えられた一のストリームデータ又は静止画データを分離部２４に与える。また、切換部２３は、制御部３６より与えられた制御信号に応じて、分離部２４に与えるストリームデータを切り換える。なお、ＤＶＤドライブ３３から与えられるストリームデータはＭＰＥＧ２ＰＳ（Program Stream）形式である。
【００３８】
ＴＳ形式及びＰＳ形式のストリームデータは、複数のパケットから構成されている。特にＴＳ形式におけるパケットは、１乃至３番組の映像を構成する時系列順のビデオデータ及び音声データ、並びに番組配列情報（SI: Service Information）等をパケット化したものである。複数のパケットから、時系列順のビデオデータ及び音声データが復元される。
【００３９】
分離部２４は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部２４から与えられたビデオデータ及び音声データを夫々所定のタイミングでビデオデコーダ２５ａ及び音声デコーダ２６に与える。
また、分離部２４は、ストリームデータに含まれる番組配列情報を選択し、選択した番組配列情報をＥＰＧ（Electronic Program Guide）デコーダ２７に与える。番組配列情報は、放送される番組のタイトル、チャンネル、放送開始時刻、放送終了時刻、及び映画、ドラマ等の番組の属するジャンル等の情報を有している。
更に、分離部２４は、後述するようにＤＶＤ３５から読み出された静止画データが切換部２３を介して入力された場合、該静止画データを静止画デコーダ２５ｂに与える。
【００４０】
ＥＰＧデコーダ２７は、分離部２４から与えられた番組配列情報に基づいて、番組表の画像データを生成し、生成した番組表の画像データをＯＳＤ（On Screen Display）表示処理部２８に与える。ＥＰＧデコーダ２７及びＯＳＤ表示処理部２８による番組表のＯＳＤ表示は、制御部３６によって制御される。
【００４１】
ビデオデコーダ２５ａは、ビデオバッファから与えられたビデオデータを、ＭＰＥＧ２の圧縮伸張方式に従って復調し、復調したビデオデータをＯＳＤ表示処理部２８に与える。また、ビデオデコーダ２５ａは、復調したビデオデータをＭＰＥＧ符号化部３１に与える。
【００４２】
静止画デコーダ２５ｂは、ＪＰＥＧ等の圧縮伸張方式に従って静止画データを復調し、復調した静止画データをＯＳＤ表示処理部２８に与える。
【００４３】
ＯＳＤ表示処理部２８は、ビデオデコーダ２５ａから与えられたビデオデータの映像に、ＥＰＧデコーダ２７又は制御部３６から与えられた画像データの映像をＯＳＤ表示させた映像のビデオデータを生成し、生成したビデオデータを、所定のタイミングでビデオ信号出力部２９に与える。また、ＯＳＤ表示処理部２８は、静止画デコーダ２５ｂから静止画データが入力された場合、静止画データに基づいて一又は複数の静止画を並置した映像のビデオデータを生成し、生成したビデオデータをビデオ信号出力部２９に与える。
【００４４】
音声デコーダ２６は、音声バッファから与えられた音声データを、所定の圧縮伸張方式、例えばＡＡＣ（Advanced Audio Coding）又はＡＣ３（Audio Code number 3）の圧縮伸張方式に従って復調し、復調した音声データを、所定のタイミングで音声信号出力部３０に与える。また、音声デコーダ２６は、復調した音声データをＭＰＥＧ符号化部３１に与える。
【００４５】
ビデオ信号出力部２９及び音声信号出力部３０は、ＯＳＤ表示処理部２８及び音声デコーダ２６から与えられたビデオデータ及び音声データを、アナログのビデオ信号及び音声信号にＤＡ変換し、ＤＡ変換したビデオ信号及び音声信号を外部の図示しない表示装置及びスピーカに出力する。なお、制御部３６は、音声信号の信号レベルを上下させることにより、出力される音声の音量を上下させることができる。
【００４６】
ＭＰＥＧ符号化部３１は、ビデオデコーダ２５ａ及び音声デコーダ２６から与えられたビデオデータ及び音声データを、ＭＰＥＧ２ＰＳ形式のストリームデータに符号化し直し、符号化したストリームデータをバッファメモリ３７を介してハードディスクドライブ３２又はＤＶＤドライブ３３に与える。
【００４７】
ＤＶＤドライブ３３は、ストリームデータを８−１６変調する変調部、変調されたストリームデータを、ＤＶＤ３５に記録する光ピックアップを備えている。また、ＤＶＤドライブ３３は、光ピックアップによってＤＶＤ３５から読み出したストリームデータ又は静止画データを復調する図示しない復調回路を備えており、復調したストリームデータをバッファメモリ３７を介して切換部２３に与える。
【００４８】
ハードディスクドライブ３２は、ストリームデータを変調する変調部、変調されたプログラムデータをハードディスク３４に記録するヘッド部を備えている。また、ハードディスクドライブ３２は、ハードディスク３４から読み出したストリームデータ又は静止画データを復調する図示しない復調回路を備えており、復調したストリームデータをバッファメモリ３７を介して切換部２３に与える。
【００４９】
以下、本実施の形態に係るポインティングデバイス１を利用した操作方法の具体例を説明する。
図６は、実施の形態１のファイル名の手書き文字入力画面を示した模式図、図７は、実施の形態１のポインティングデバイス１による手書き文字入力操作方法を概念的に示す説明図である。
ハードディスク３４又はＤＶＤ３５に記録された映像データのタイトル名を入力する指示を受け付けた場合、制御部３６は、ＯＳＤ表示処理部２８に画像データを与えることにより、図６に示すような文字入力画面を表示する。手書き文字入力画面Ｂは、白色長方形画像Ｂ２と、該白色長方形画像Ｂ２の内側上部に表示された入力文字表示枠Ｂ１とから構成されている。入力文字表示枠Ｂ１の下方の空白部分は、ポインティングデバイス１のタッチパネル１３にて手書き入力された文字を表示する領域である。入力文字表示枠内Ｂ１には、入力済みの文字、例えば「こんな感じで入力」の文字が表示されている。また、入力文字表示枠内Ｂ１には文字の入力位置を示す縦棒のカーソルＫ１が表示されている。
【００５０】
この状態で使用者が指でタッチパネル１３に触れ、文字をなぞるように指を移動させた場合、空白部分には使用者が指でなぞった軌跡に対応する線分、例えば「あ」の文字が表示される。本実施の形態１では、特に平仮名の入力を受け付けるように構成されている。そして、使用者が操作板１２を横方向に移動させると、カーソルが左右方向に移動し、移動後のカーソル位置に他の文字を入力することが可能になる。また、使用者が操作板１２を上下方向に移動させた場合、入力済みの平仮名をかな漢字変換して表示する。次いで操作板１２が押し込まれた場合、かな漢字変換された文字が確定される。
【００５１】
図８は、実施の形態１の文字入力に係る制御部３６の処理手順を示すフローチャートである。まず、制御部３６は、ポインティングデバイス１の操作状態を検出する（ステップＳ１１）。具体的には、制御部３６は、操作部４１のポインティングデバイス１からの信号、又は遠隔操作装置３９及び受信部３８を介して受信した信号に基づいて、操作板１２の移動方向及びタッチパネル１３に対する物体の接触位置を検出する。そして、制御部３６は、タッチパネル１３が接触位置を検出したか否かを判定する（ステップＳ１２）。接触位置を検出したと判定した場合（ステップＳ１２：ＹＥＳ）、制御部３６は、接触位置を記憶することによって、接触位置の軌跡を記憶する（ステップＳ１３）。
【００５２】
ステップＳ１３の処理を終えた場合、又は接触位置を検出していないと判定した場合（ステップＳ１２：ＮＯ）、制御部３６は、操作板１２が左右方向に移動したか否かを判定する（ステップＳ１４）。左右方向に移動したと判定した場合（ステップＳ１４：ＹＥＳ）、制御部３６は、入力済みの平仮名文字を特定し（ステップＳ１５）、カーソルを移動させる（ステップＳ１６）。このとき、左右方向の移動がなくとも、タイムアップ処理により、自動的に入力文字を特定させても良い。
【００５３】
ステップＳ１６の処理を終えた場合、又は操作板１２が左右方向に移動していないと判定した場合（ステップＳ１４：ＮＯ）、制御部３６は、操作板１２が上下方向に移動したか否かを判定する（ステップＳ１７）。操作板１２が上下方向に移動したと判定した場合（ステップＳ１７：ＹＥＳ）、制御部３６は、入力済みであって未確定の平仮名文字をかな漢字変換する（ステップＳ１８）。
【００５４】
ステップＳ１８の処理を終えた場合、又は操作板１２が上下方向に移動していないと判定した場合（ステップＳ１７：ＮＯ）、制御部３６は、操作板１２が押し込まれたか否かを判定する（ステップＳ１９）。操作板１２が押し込まれていないと判定した場合（ステップＳ１９：ＮＯ）、制御部３６は、処理をステップＳ１１に戻す。操作板１２が押し込まれたと判定した場合（ステップＳ１９：ＹＥＳ）、制御部３６は、かな漢字変換された文字を確定し（ステップＳ２０）、処理を終える。
なお、操作板１２の押し込みによってかな漢字変換された文字の確定を行うように構成してあるが、タッチパネル１３のダブルクリック等によってかな漢字変換された文字の確定処理を行うように構成しても良い。
【００５５】
本実施の形態１に係るポインティングデバイス１及び映像記録再生装置にあっては、円板状の操作板１２上に、タッチパネル１３が配されているため、操作板１２の操作と同時にタッチパネル１３の操作も行うことができ、より複雑で複合的な操作を行うことができる。例えば、一つのポインティングデバイス１を用いて片手で手書き文字入力操作を行うことができる。具体的には、タッチパネル１３上をなぞるようにして文字を手書き入力し、操作板１２の横方向の移動によって入力した平仮名の特定、かな漢字変換を行うことができる。また、操作板１２の押し込みによって入力文字を確定させることができる。
【００５６】
また、操作板１２上にタッチパネル１３を配しているため、ポインティングデバイス１の操作板１２及びタッチパネル１３を片手、つまり一つの指で行うことができ、省スペースで効率の良い操作環境を提供することができる。
【００５７】
なお、実施の形態１にあっては、円板状の操作板１２を説明したが、操作板１２の形状は円板状に限定されず、矩形板状、三角形状等、他の形状であっても良い。
【００５８】
また、実施の形態１にあっては、ポインティングデバイス１を備えた電気機器として映像記録再生装置を説明したが、携帯電話、ノートパソコン、音楽再生装置、ＰＤＡ等の他の電気機器に本発明のポインティングデバイス１を適用しても良い。
【００５９】
（実施の形態２）
実施の形態２に係るポインティングデバイス１及び映像記録再生装置の構成は実施の形態１に係るポインティングデバイス１及び映像記録再生装置と同様であり、制御部３６の処理手順のみが異なるため以下、上記相違点について説明する。
【００６０】
図９及び図１０は、実施の形態２の画像処理操作方法を概念的に示す説明図、図１１は、実施の形態２のポインティングデバイス１の操作方法を概念的に示す説明図である。図９及び図１０は、図示しない外部の表示装置に表示された複数の静止画Ｃを示している。また、破線で示した矩形枠は一の静止画Ｃを選択するためのカーソルＫ２である。図１１（ａ）に示すように使用者が指でタッチパネル１３に触れながら操作板１２を移動した場合、図９（ａ），（ｂ）に示すようにカーソルＫ２が移動する。なお、カーソルＫ２に代えてポインタを移動させるように構成しても良い。また、画像処理対象の静止画ＣがカーソルＫ２で選択された状態で図１１（ｂ）に示すように使用者が指でタッチパネル１３に触れながら指を円弧状に動かした場合、図１０（ａ）に示すように静止画Ｃは回転し、直線方向に動かした場合、図１０（ｂ）に示すように静止画Ｃは拡大及び縮小する。
【００６１】
図１２は、実施の形態２のポインティングデバイス１による画像処理操作に係る制御部３６の処理手順を示すフローチャートである。制御部３６は、操作部４１のポインティングデバイス１からの信号、又は遠隔操作装置３９及び受信部３８を介して受信した信号に基づいて、ポインティングデバイス１の操作状態を検出する（ステップＳ３１）。
【００６２】
そして、制御部３６は、操作板１２が移動しているか否かを判定する（ステップＳ３２）。操作板１２が移動していると判定した場合（ステップＳ３２：ＹＥＳ）、制御部３６は、図９に示すように操作板１２と略同一方向へカーソルＫ２を移動させ（ステップＳ３３）、処理を終える。
【００６３】
操作板１２が移動していないと判定した場合（ステップＳ３２：ＮＯ）、制御部３６は、タッチパネル１３のいずれかが接触位置を検出したか否かを判定する（ステップＳ３４）。接触位置を検出していないと判定した場合（ステップＳ３４：ＮＯ）、制御部３６は、処理を終える。
【００６４】
タッチパネル１３のいずれかが接触位置を検出したと判定した場合（ステップＳ３４：ＹＥＳ）、制御部３６は、接触位置を記憶する（ステップＳ３５）。次いで、制御部３６は、記憶した接触位置に基づいて、接触位置の軌跡が円弧状であるか否かを判定する（ステップＳ３６）。接触位置の軌跡が円弧状であると判定した場合（ステップＳ３６：ＹＥＳ）、制御部３６は、カーソルＫ２で選択されている静止画Ｃを回転させ（ステップＳ３７）、処理を終える。
【００６５】
接触位置の軌跡が円弧状でないと判定した場合（ステップＳ３６：ＮＯ）、制御部３６は、接触位置の軌跡が直線状であるか否かを判定する（ステップＳ３８）。接触位置の軌跡が直線状でないと判定した場合（ステップＳ３８：ＮＯ）、制御部３６は、処理を終える。接触位置の軌跡が直線状であると判定した場合（ステップＳ３８：ＹＥＳ）、制御部３６は、カーソルＫ２で選択されている静止画Ｃを拡大又は縮小させ（ステップＳ３９）、処理を終える。
【００６６】
次に、本実施の形態に係るポインティングデバイス１を利用した操作方法の他の具体例を説明する。
図１３及び図１４は、実施の形態２の録画予約操作方法を概念的に示す説明図である。最外の矩形枠及び該矩形枠の内側に表示された一覧は、ＯＳＤ表示された番組表Ｄである。一覧はマトリクス状に升目を並置してなる。各行はチャンネルに対応しており、各行の見出しにはチャンネルの番号が表示されている。一覧の各列は放送時刻が対応しており、各列の見出しには１７〜２２時の時刻が表示されている。一覧を構成している各升目には、対応するチャンネル及び放送時刻で放送される番組の名称、ジャンル等が表示される。また、一の升目を囲む太線の矩形枠は番組を選択するためのカーソルＫ３である。
【００６７】
図１４（ａ）は、番組表に表示される放送時間帯をページ変更した状態を示しており、図１４（ｂ）は番組表に表示されるチャンネル群をページ変更した状態を示している。
操作板１２にはカーソル移動が割り当てられており、使用者が操作板１２を移動させた場合、図１３に示すようにカーソルＫ３が移動する。
また、タッチパネル１３にはページ移動が割り当てられており、使用者がタッチパネル１３の上下左右部分に触った場合、図１３及び図１４に示すように番組表に表示される放送時間帯又はチャンネル群が変更される
【００６８】
図１５は、実施の形態２のポインティングデバイス１による録画予約に係る制御部３６の処理手順を示すフローチャートである。制御部３６は、操作部４１のポインティングデバイス１の操作状態を検出する（ステップＳ５１）。
【００６９】
そして、制御部３６は、操作板１２が移動しているか否かを判定する（ステップＳ５２）。操作板１２が移動していると判定した場合（ステップＳ５２：ＹＥＳ）、制御部３６は、図１３に示すように操作板１２の移動方向に応じてカーソルＫ３移動させ（ステップＳ５３）、処理を終える。
【００７０】
操作板１２が移動していないと判定した場合（ステップＳ５２：ＮＯ）、制御部３６は、操作板１２が基板に押し込まれているか否かを判定する（ステップＳ５４）。操作板１２が押し込まれていると判定した場合（ステップＳ５４：ＹＥＳ）、制御部３６は、選択されている番組の予約処理を実行し（ステップＳ５５）、処理を終える。
【００７１】
操作板１２が押し込まれていないと判定した場合（ステップＳ５４：ＮＯ）、制御部３６は、タッチパネル１３の上下左右位置に物体が接触しているか否かを判定する（ステップＳ５６）。タッチパネル１３の上下左右位置に物体が接触していないと判定した場合（ステップＳ５６：ＮＯ）、制御部３６は、処理を終える。タッチパネル１３の上下左右位置に物体が接触していると判定した場合（ステップＳ５６：ＹＥＳ）、制御部３６は、上下左右へ番組表Ｄのページを移動させ（ステップＳ５７）、処理を終える。例えば、タッチパネル１３の上部に物体が接触した場合、制御部３６は番組表Ｄのページを上ページへ移動させ、タッチパネル１３の下部に物体が接触した場合、制御部３６は番組表Ｄを下ページへ移動させる。また、タッチパネル１３の左部に物体が接触した場合、制御部３６は番組表Ｄを左ページへ移動させ、タッチパネル１３の右部に物体が接触した場合、制御部３６は番組表Ｄを右ページへ移動させる。
【００７２】
次に、本実施の形態に係るポインティングデバイス１を利用した操作方法の他の具体例を説明する。
図１６は、実施の形態２のポインティングデバイス１による音量調整及びチャンネル変更に係る制御部３６の処理手順を示すフローチャートである。制御部３６は、操作部４１のポインティングデバイス１の操作状態を検出する（ステップＳ７１）。
【００７３】
そして、制御部３６は、操作板１２が移動しているか否かを判定する（ステップＳ７２）。操作板１２が移動していないと判定した場合（ステップＳ７２：ＮＯ）、制御部３６は、処理を終える。操作板１２が移動していると判定した場合（ステップＳ７２：ＹＥＳ）、制御部３６は、タッチパネル１３の左位置に物体が接触しているか否かを判定する（ステップＳ７３）。タッチパネル１３の左位置に物体が接触していると判定した場合（ステップＳ７３：ＹＥＳ）、制御部３６は、操作板１２の移動方向に応じて音量を上下させ（ステップＳ７４）、処理を終える。
【００７４】
タッチパネル１３の左部分に物体が接触していないと判定した場合（ステップＳ７３：ＮＯ）、制御部３６は、タッチパネル１３の右位置に物体が接触しているか否かを判定する（ステップＳ７５）。タッチパネル１３の右位置に物体が接触していると判定した場合（ステップＳ７５：ＹＥＳ）、制御部３６は、操作板１２の移動方向に応じてチャンネルを変更し（ステップＳ７６）、処理を終える。タッチパネル１３の右部分に物体が接触していないと判定した場合（ステップＳ７５：ＮＯ）、制御部３６は、図示しないポインタを移動させ（ステップＳ７７）、処理を終える。
【００７５】
本実施の形態１に係るポインティングデバイス１及び映像記録再生装置にあっては、円板状の操作板１２上に、タッチパネル１３が配されているため、操作板１２の操作と同時にタッチパネル１３の操作も行うことができ、より複雑で複合的な操作を片手で行うことができる。例えば、一のポインティングデバイス１によってページ切り替え、カーソル移動、画像の回転、拡大及び縮小等の操作を行うことができる。
【００７６】
また、使用者がタッチパネル１３に接触した指を円弧状に移動させることによって、画像を回転させることができ、直線方向に移動させることによって、画像を拡大又は縮小させることができる。
【００７７】
更に、操作板１２で操作可能な動作を、タッチパネル１３を触る位置によって切り替えることができる。例えば、タッチパネル１３の左部分を触りながら操作板１２を上下方向に移動させることによって音量を調整し、タッチパネル１３の右部分を触りながら操作板１２を上下方向に移動させることによってチャンネルを変更することもできる。
【００７８】
なお、実施の形態１にあっては、ポインティングデバイス１にて画像の回転、拡大及び縮小の画像処理操作、カーソル及びページ移動、並びに音量及びチャンネル調整を行う例を説明したが、ポインティングデバイス１及び電気機器にて操作可能な動作はこれに限定されない。例えば、本実施の形態に係るポインティングデバイス１にてスクロール移動、ビデオゲームにおけるキャラクタの移動、又は視点を移動させるような操作を行うように構成しても良い。
【００７９】
また、ポインティングデバイス１にて操作できる電気機器の機能は、画像処理、音量調整等に限定されない。例えば、複数のポインタを含む画像を生成し、操作板１２の移動によって第１のポインタを移動させ、タッチパネル１３の操作にて第２のポインタを移動させるように構成しても良い。この場合、一つのポインティングデバイス１を用いて片手で複数のポインタを移動させることができる。例えば、ウェブブラウザを操作する場合に、リンク項目を選択するカーソルを操作板１２にて移動させ、ウェブブラウザ上のアプリケーションにて表示されるマウスポインタをタッチパネル１３にて移動させるように構成するように構成しても良い。
【００８０】
実施の形態２に係るポインティングデバイス１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００８１】
（実施の形態３）
実施の形態３に係るポインティングデバイス１及び映像記録再生装置の構成は実施の形態１に係るポインティングデバイス１及び映像記録再生装置と同様であり、制御部３６の処理手順のみが異なるため以下、上記相違点について説明する。
【００８２】
図１７及び図１８は、実施の形態３の画像処理操作におけるポインティングデバイス１の操作方法を概念的に示す説明図、図１９及び図２０は、実施の形態３におけるポインティングデバイス１による画像処理操作に係る制御部３６の処理手順を示すフローチャートである。
【００８３】
本実施の形態３に係るポインティングデバイス１にて図９及び図１０に示した静止画像の拡大、縮小、回転を操作する例を説明する。図１７（ａ）に示すように、操作体を移動させた場合、図９に示したカーソルＫ２が移動する。
そして、図１７（ｂ）に示すように、使用者が画像をつまむようにしてタッチパネル１３上の２点を２本の指で触れ、図１７（ｃ）に示すように、接触している２点間の距離を拡げ、又は縮めた場合、図１０に示すように静止画Ｃが拡大又は縮小する。
また、図１８（ａ）、（ｂ）に示すように、指が接触している２点を回転させることによって、静止画Ｃを回転させることができる。
更に、図１８（ｃ）に示すように、２本の指を触れたまま、操作板１２を移動させた場合、図９に示した画像全体がスクロール移動する。
【００８４】
以下、具体的な制御部３６の処理内容を図１９、図２０を用いて説明する。
制御部３６は、ポインティングデバイス１の操作状態を検出する（ステップＳ９１）。次いで、制御部３６は、接触位置が２箇所であるか否かを判定する（ステップＳ９２）。接触位置が２箇所でないと判定した場合（ステップＳ９２：ＮＯ）、制御部３６は、操作板１２が移動したか否かを判定する（ステップＳ９３）。操作板１２が移動していないと判定した場合（ステップＳ９３：ＮＯ）、制御部３６は、処理を終える。操作板１２が移動していると判定した場合（ステップＳ９３：ＹＥＳ）、制御部３６は、カーソルＫ２を移動させ（ステップＳ９４）、処理を終える。
【００８５】
接触位置が２箇所であると判定した場合（ステップＳ９２：ＹＥＳ）、制御部３６は、各接触位置を記憶する（ステップＳ９５）。そして、制御部３６は、記憶した接触位置に基づいて、接触位置間の距離が所定距離以上延長したか否かを判定する（ステップＳ９６）。接触位置が延長したと判定した場合（ステップＳ９６：ＹＥＳ）、制御部３６は、カーソルＫ２で選択されている静止画Ｃを拡大する（ステップＳ９７）。
【００８６】
ステップＳ９７の処理を終えた場合、又は接触位置間の距離が延長していないと判定した場合（ステップＳ９６：ＮＯ）、制御部３６は、接触位置間の距離が所定距離以上短縮したか否かを判定する（ステップＳ９８）。接触位置間が短縮したと判定した場合（ステップＳ９８：ＹＥＳ）、制御部３６は、カーソルＫ２で選択されている静止画Ｃを縮小する（ステップＳ９９）。
【００８７】
ステップＳ９９の処理を終えた場合、又は接触位置間の距離が短縮していないと判定した場合（ステップＳ９８：ＮＯ）、制御部３６は、各接触位置が所定位置を中心に右回転したか否かを判定する（ステップＳ１００）。各接触位置が右回転したと判定した場合（ステップＳ１００：ＹＥＳ）、制御部３６は、カーソルＫ２で選択されている静止画Ｃを右回転させる（ステップＳ１０１）。
【００８８】
ステップＳ１０１の処理を終えた場合、又は各接触位置が右回転していないと判定した場合（ステップＳ１００：ＮＯ）、制御部３６は、各接触位置が所定位置を中心に左回転したか否かを判定する（ステップＳ１０２）。各接触位置が左回転したと判定した場合（ステップＳ１０２：ＹＥＳ）、制御部３６は、カーソルＫ２で選択されている静止画Ｃを左回転させる（ステップＳ１０３）。
【００８９】
ステップＳ１０３の処理を終えた場合、又は各接触位置が左回転していないと判定した場合（ステップＳ１０２：ＮＯ）、制御部３６は、操作板１２が移動したか否かを判定する（ステップＳ１０４）。操作板１２が移動していないと判定した場合（ステップＳ１０４：ＮＯ）、制御部３６は、処理を終える。操作板１２が移動していると判定した場合（ステップＳ１０４：ＹＥＳ）、制御部３６は、複数の静止画Ｃを含む画像全体をスクロール移動させ（ステップＳ１０５）、処理を終える。
【００９０】
実施の形態３に係るポインティングデバイス１及び映像記録再生装置にあっては、タッチパネル１３が複数の接触位置を検出し、各接触位置の位置関係に基づいて、画像を拡大、縮小、回転及びスクロール移動するように構成されているため、使用者は直感的に画像処理操作を行うことができる。
より具体的には、使用者は画像をつまむようにしてタッチパネル１３の２点を触り、該２点間の距離を広げることによって画像を拡大させ、該２点間の距離を縮めることによって画像を縮小させることができる。従って、使用者は直感的に画像を拡大及び縮小させることができる。
また、使用者は画像をつまむようにしてタッチパネル１３の２点を触り、接触箇所の２点を回転させることによって画像を回転させることができる。従って、使用者は直感的に画像を回転させることができる。
更に、使用者は画像をつまむようにしてタッチパネル１３の２点を触り、操作板１２を移動させることによって画像全体をスクロール移動させることができる。従って、使用者は直感的に画像をスクロール移動させることができる。
更にまた、タッチパネル１３の１点を触りながら操作板１２を移動させた場合、カーソルを移動させ、タッチパネル１３の２点を触りながら操作板１２を移動させた場合、画像全体をスクロールさせるように構成してあるため、タッチパネル１３に接触する物体（指）の数に応じて、操作板１３で操作可能な動作を切り替えることができる。
【００９１】
なお、実施の形態３にあってはＤＶＤ３５に記録された静止画の拡大、縮小、回転等の処理を説明したが、操作対象はこれに限定されない。
【００９２】
例えば、マルチウィンドウ操作環境において、複数のウィンドウ画像を操作するポインティングデバイスとして、本実施の形態に係るポインティングデバイスを適用しても良い。例えば、ポインティングデバイス上のタッチパネルを２本の指で触ると、そのときに選択されているウィンドウ画像が移動対象として選択され、タッチパネルに２本の指を触れたまま、操作板を移動させることにより、ウィンドウ画像を移動させ、２本の指がタッチパネルから離れた場合、移動対象の解除が行われるように構成しても良い。この場合も、一つのポインティングデバイスを用いて片手でマルチウィンドウ操作を行うことができる。
【００９３】
実施の形態３に係るポインティングデバイス１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００９４】
（実施の形態４）
図２１は、本発明の実施の形態４に係る携帯電話機の内部構成を示すブロック図、図２２は実施の形態４の携帯電話を模式的に示す正面図である。実施の形態４に係る携帯電話機は、本発明に係るポインティングデバイス１を備えており、実施の形態１〜３同様、複雑で複合的な操作が可能になる。
【００９５】
本発明の実施の形態４に係る携帯電話機は、制御部５０、無線通信及びテレビジョン放送信号の受信を行うためのアンテナ５１、分波部５２、無線部５３、通信制御部５４、チューナ５５、信号処理部５６、及び表示部６０を備えている。
【００９６】
制御部５０は、例えばＣＰＵを備えたマイクロコンピュータであり、携帯電話機を構成する各構成部の動作を制御する。制御部５０には、操作部６１が接続されており、制御部５０は、操作部６１の操作状態に応じて動作を制御する。
【００９７】
操作部６１は、本発明の実施の形態に係るポインティングデバイス１、通話ボタン、数字ボタン等を備えている。ポインティングデバイス１の構成は、実施の形態１と同様である。
【００９８】
アンテナ５１は、無線電波を介して基地局と無線通信を行い、音声データ、文字データ及び画像データ等を送受信する。また、アンテナ５１はテレビジョン信号も受信することができる。
【００９９】
分波部５２は、アンテナ５１にて受信した無線信号と放送信号とを分離し、分離された無線信号を無線部５３に送り、分離された放送信号をチューナ５５に送る。
【０１００】
通信制御部５４は無線部５３の動作を制御する。通信制御部５４は、受信時においては基地局からアンテナ５１を介して受信した無線を無線部５３に復調させ、復調された信号を制御部５０に与える。また、通信制御部５４は、送信時においては制御部５０から送られた各種データを所定のプロトコルに基づいて変調し、変調した無線信号を分波部５２を介してアンテナ５１から送信する。
【０１０１】
チューナ５５は、放送信号から一のチャンネルを選択及び増幅し、選択された信号を信号処理部５６に送る。
信号処理部５６は、チューナ５５より送られた信号から映像信号、音声信号に分離し、分離された映像信号は表示部６０に、音声信号は図示しないスピーカから出力される。
【０１０２】
また、携帯電話機は、撮像部５７、画像処理部５８、メモリ５９、記憶媒体６２を備えている。
【０１０３】
撮像部５７はレンズ、撮像素子、例えばＣＣＤ（Charge Coupled Device）イメージセンサ、ＣＭＯＳ（Complementary Metal Oxide Semiconductor）イメージセンサ等を備えている。撮像部５７は撮像して得た画像データを画像処理部５８に逐次送信する。
【０１０４】
画像処理部５８は、画像データに対して補完処理等のエフェクト処理を実行し、メモリ５９に送る。表示部６０は、メモリ５９に書き込まれた画像データに基づいて、画像を逐次表示する。
【０１０５】
記録媒体６２はフラッシュメモリのような不揮発性の記憶手段である。制御部５０は、撮像部５７にて撮像された静止画若しくは動画の画像データ、又は放送信号から得られた映像及び音声を記録媒体６２に記録する機能を備えている。また、制御部５０は、実施の形態１又は２同様、記録した映像のサムネイル表示、静止画の表示等を行うことができ、ポインティングデバイス１の操作に応じてカーソル移動、ページ移動、静止画の回転、拡大及び縮小を行うことができる。
【０１０６】
実施の形態４にあっては、実施の形態１〜３同様、操作板の操作と同時にタッチパネルの操作も行うことができ、より複雑で複合的な操作を行うことができる。
【０１０７】
実施の形態４に係るポインティングデバイス１の他の構成、作用及び効果は実施の形態１に係るポインティングデバイス１の構成、作用及び効果と同様であるため、対応する箇所には同様の符号を付してその詳細な説明を省略する。
【図面の簡単な説明】
【０１０８】
【図１】本発明の実施の形態１に係るポインティングデバイスを模式的に示す斜視図である。
【図２】実施の形態１のポインティングデバイスを模式的に示す平面図である。
【図３】実施の形態１のポインティングデバイスを模式的に示す側面図である。
【図４】実施の形態１のポインティングデバイスの操作状態を概念的に示す説明図である。
【図５】実施の形態１に係る映像記録再生装置の内部構成を示すブロック図である。
【図６】実施の形態１のファイル名の手書き文字入力画面を示した模式図である。
【図７】実施の形態１のポインティングデバイスによる手書き文字入力操作方法を概念的に示す説明図である。
【図８】実施の形態１の文字入力に係る制御部の処理手順を示すフローチャートである。
【図９】実施の形態２の画像処理操作方法を概念的に示す説明図である。
【図１０】実施の形態２の画像処理操作方法を概念的に示す説明図である。
【図１１】実施の形態２のポインティングデバイスの操作方法を概念的に示す説明図である。
【図１２】実施の形態２のポインティングデバイスによる画像処理操作に係る制御部の処理手順を示すフローチャートである。
【図１３】実施の形態２の録画予約操作方法を概念的に示す説明図である。
【図１４】実施の形態２の録画予約操作方法を概念的に示す説明図である。
【図１５】実施の形態２のポインティングデバイスによる録画予約に係る制御部の処理手順を示すフローチャートである。
【図１６】実施の形態２のポインティングデバイスによる音量調整及びチャンネル変更に係る制御部の処理手順を示すフローチャートである。
【図１７】実施の形態３の画像処理操作におけるポインティングデバイスの操作方法を概念的に示す説明図である。
【図１８】実施の形態３の画像処理操作におけるポインティングデバイスの操作方法を概念的に示す説明図である。
【図１９】実施の形態３におけるポインティングデバイスによる画像処理操作に係る制御部の処理手順を示すフローチャートである。
【図２０】実施の形態３におけるポインティングデバイスによる画像処理操作に係る制御部の処理手順を示すフローチャートである。
【図２１】本発明の実施の形態４に係る携帯電話機の内部構成を示すブロック図である。
【図２２】実施の形態４の携帯電話を模式的に示す正面図である。
【図２３】従来のポインティングデバイスを模式的に示す横断面図である。
【符号の説明】
【０１０９】
１  ポインティングデバイス
１１  基部
１２  操作板
１３  タッチパネル
１４  操作桿
１５ａ  円板部
１５ｂ  磁石
１５ｃ  検出部
１５ｄ  ホール素子
１６  操作信号出力コネクタ
３６  制御部
【図１】
2009026001.tif 000003
【図２】
2009026001.tif 000004
【図３】
2009026001.tif 000005
【図４】
2009026001.tif 000006
【図５】
2009026001.tif 000007
【図６】
2009026001.tif 000008
【図７】
2009026001.tif 000009
【図８】
2009026001.tif 000010
【図９】
2009026001.tif 000011
【図１０】
2009026001.tif 000012
【図１１】
2009026001.tif 000013
【図１２】
2009026001.tif 000014
【図１３】
2009026001.tif 000015
【図１４】
2009026001.tif 000016
【図１５】
2009026001.tif 000017
【図１６】
2009026001.tif 000018
【図１７】
2009026001.tif 000019
【図１８】
2009026001.tif 000020
【図１９】
2009026001.tif 000021
【図２０】
2009026001.tif 000022
【図２１】
2009026001.tif 000023
【図２２】
2009026001.tif 000024
【図２３】
2009026001.tif 000025